(57)【要約】【課題】本発明は救命具に関し、救命具本来の機能を確保し、併せて釣糸の絡まりをなくして魚釣り操作性に優れた救命具を提供することを第１の目的とする。【解決手段】請求項１に係る発明は、正面視逆Ｕ字状に成形されたカバー体と当該カバー体内に膨出可能に収納された空気袋からなる浮力体と、当該浮力体の両片先端の表面側に止着された胴ベルトを有し、上記空気袋は、胴ベルトの止着部位より上方のカバー体内に収納されていることを特徴とし、請求項２に係る発明は、請求項１記載の救命具に於て、浮力体の両片先端の内側には、互いに係合可能なファスナが設けられていることを特徴とする。【選択図】      図１
2004203316.tif 000002
【特許請求の範囲】
【請求項１】
正面視逆Ｕ字状に成形されたカバー体と当該カバー体内に膨出可能に収納された空気袋からなる浮力体と、浮力体の両片先端の表面側に止着された胴ベルトを有し、
上記空気袋は、胴ベルトの止着部位より上方のカバー体内に収納されていることを特徴とする救命具。
【請求項２】
浮力体の両片先端の内側には、互いに係合可能なファスナが設けられていることを特徴とする請求項１記載の救命具。
【請求項３】
ファスナは、釣人が着用するジャケットの前身頃に設けられたファスナに係合可能であることを特徴とする請求項２記載の救命具。
【発明の詳細な説明】
【０００１】
【発明の属する技術分野】
本発明は、魚釣り時に釣人が着用する救命具に関する。
【０００２】
【従来の技術】
岩場等で釣りを行う場合、従来、釣人は救命具としてジャケット（上着）の上に、ポリ塩化ビニール独立発泡やＥＶＡ独立発泡を浮力材としたフローティングベストを着用していたが、昨今、浮力材による嵩張りをなくし、落水すると水の浸入でボンベが自動的に、または作動紐を引く等の手動で作動してカバー内に収納された空気袋が膨張する、所謂膨張式のライフジャケットが広く普及しつつある（例えば、下記の非特許文献１参照。）。
【０００３】
このライフジャケットは、正面視逆Ｕ字状に成形されたカバー体と当該カバー体内に膨出可能に収納された空気袋からなる浮力体（浮き部）と、当該浮力体の両片先端側の裏面に止着された胴ベルトと、当該胴ベルトと浮き部との間に架け渡された背面ベルトとで構成されており、浮力体を首（ジャケットの衿）にかけ、そして、浮力体の両片をジャケットの左右の前身頃に沿わせて、胴ベルトに装着した左右のバックルをウエスト部分の正面で係合して着用するようになっている。
そして、カバー体内には、既述したように水の浸入で作動して空気袋を膨張させるボンベが取り付けられている。
【０００４】
【非特許文献１】
ダイワ精工株式会社発行、２００２ダイワ釣用品総合カタログ、第１５７頁，第１５８頁，第１６５頁
【０００５】
【発明が解決しようとする課題】
しかし、上述したライフジャケットは、予め折り畳まれた空気袋をカバー体内に収納した構造上、固形状の発泡材を用いたフローティングベストに比し着用時に大きく嵩張ることはないものの、浮力体の両片先端側の裏面に胴ベルトが止着されているため、浮力体の両片先端が身体の正面に垂れ下がる格好となって、魚釣り操作時に釣糸が両片先端の内側に入り込んで絡まってしまう虞があった。
【０００６】
また、このライフジャケットは、胴ベルトのみで身体に保持する構造上、キャスティングの際にライフジャケット全体が胴体回りにズレて、身体の動きを妨げてしまう虞も指摘されている。
本発明は斯かる実情に鑑み案出されたもので、救命具本来の機能を確保し、併せて釣糸の絡まりをなくして魚釣り操作性に優れた救命具を提供することを第１の目的とする。
【０００７】
そして、本発明の第２の目的は、魚釣り操作時にズレをなくした救命具を提供することにある。
【０００８】
【課題を解決するための手段】
斯かる目的を達成するため、請求項１に係る発明は、正面視逆Ｕ字状に成形されたカバー体と当該カバー体内に膨出可能に収納された空気袋からなる浮力体と、当該浮力体の両片先端の表面側に止着された胴ベルトを有し、上記空気袋は、胴ベルトの止着部位より上方のカバー体内に収納されていることを特徴とする。
【０００９】
そして、請求項２に係る発明は、請求項１記載の救命具に於て、浮力体の両片先端の内側には、互いに係合可能なファスナが設けられていることを特徴とし、請求項３に係る発明は、請求項２記載の救命具に於て、ファスナは、釣人が着用するジャケットの前身頃に設けられたファスナに係合可能であることを特徴とする。
【００１０】
（作用）
請求項１に係る発明によれば、浮力体の両片先端は胴ベルトで覆われているため、従来と異なり浮力体の両片先端が体の正面に垂れ下がることがなくなって、釣糸の入り込みが防止されることとなる。
そして、空気袋は胴ベルトの止着部位より上方のカバー体内に収納されているため、釣人が誤って落水した場合に、空気袋の膨張が胴ベルトで妨げられることがない。
【００１１】
また、請求項２に係る発明によれば、救命具のファスナを互いに係合してバックルを係合すれば、恰も首に浮力体を巻き付けるようにして救命具が着用できることとなる。
更にまた、請求項３に係る発明によれば、救命具側のファスナをジャケット側のファスナに係合させて、胴ベルトのバックルをウエスト部分の正面で係合すれば、ジャケットの上にライフジャケットが着用される。
【００１２】
而して、斯様に救命具側のファスナをジャケット側のファスナに係合させることで、キャスティングの際に、救命具の胴体回り方向へのズレが防止されることとなる。
【００１３】
【発明の実施の形態】
以下、本発明の実施形態を図面に基づいて詳細に説明する。
【００１４】
図１乃至図６は請求項１乃至請求項３の一実施形態に係る救命具を示し、図１乃至図３に於て、１は正面視逆Ｕ字状に裁断したカバー前方部３とカバー後方部５の内周側同士と先端側同士を夫々縫着し、そして、カバー前方部３とカバー後方部５の外周側同士を面ファスナ（図示せず）で着脱自在に止着して形成されたカバー体で、カバー前方部３とカバー後方部５は、夫々、天然材料の布・やナイロン，塩化ビニルの合成樹脂製シート等で成形されている。
【００１５】
尚、カバー前方部３とカバー後方部５の内周側と先端側は一体成形してもよい。
そして、カバー体１内に、当該カバー体１の形状に沿って折り畳まれた空気袋７が収納されて浮力体９が形成されると共に、当該空気袋７を膨張させる１本のボンベ１１が、後述する胴ベルト１３の止着部位より上方のカバー体１（浮力体９の右片１５側）内に収納されている。尚、カバー体１内に折り畳まれて収納された状態の空気袋７は浮力を有しない。
【００１６】
このボンベ１１は、従来周知のボンベと同一構造からなり、落水すると水の浸入で自動的に作動して空気袋７を膨張させるようになっている。そして、ボンベ１１が作動してカバー体１内で空気袋７が膨張すると、図４に示すように面ファスナによるカバー前方部３とカバー後方部５との止着が解除されて、空気袋７がカバー体１の中から外部に正面視逆Ｕ字状に大きく膨出して浮力を有する状態となる。
【００１７】
而して、上記空気袋７は、ナイロンや塩化ビニル，ポリウレタン，エチレン酢酸ビニル等の合成樹脂を材料として成形されているが、図１に示すように空気袋７は、胴ベルト１３の止着部位より上方のカバー体１内に収納されている。
そして、図１に示すように浮力体９の両片先端１７，１９の表面側に、バックル２１を有する胴ベルト１３が縫い付けられて止着されており、浮力体９の両片先端１７，１９は、胴ベルト１３により身体に押圧されて釣糸の入り込みが防止されている。
【００１８】
而も、浮力体９の両片先端側１７，１９は、胴ベルト１３に覆われて下方に突出しないように構成されているため、確実に釣糸の引っ掛かりが防止できるようになっている。そして、既述したように、胴ベルト１３によって空気袋７の膨張を妨げることがないように、空気袋７は胴ベルト１３の止着部位より上方のカバー体１内に収納されている。
【００１９】
更に、浮力体９の両片先端１７，１９の内側には、互いに係合可能な一対のファスナ２３，２５が止着されており、両ファスナ２３，２５を互いに係合することで浮力体９を恰も首に巻き付けるように着用できるが、図５に示すように両ファスナ２３，２５は、図６の釣人２７が着用するジャケット２９の左右の前身頃３１，３３に止着されたファスナ３５，３７に係合できるようになっている。
【００２０】
上記ファスナ３５，３７は、本実施形態に係るライフジャケット（救命具）３９の胴体回り方向へのズレを防止するためにジャケット２９に止着されたもので、斯様にライフジャケット３９側のファスナ２３，２５を、ジャケット２９側のファスナ３５，３７に係合することで、キャスティングの際にライフジャケット３９全体が胴体回りにズレてしまうことがないようになっている。
【００２１】
そして、図２に示すように胴ベルト１３とカバー体１の上部背面側との間に背面ベルト４１が架け渡されて、本実施形態に係るライフジャケット３９が形成されており、胴ベルト１３と背面ベルト４１は、夫々、例えば木綿や天然皮革の天然材料、または、ナイロン，塩化ビニルの合成樹脂等で成形されている。
本実施形態はこのように構成されているから、ジャケット２９を着た釣人２７は、図５に示すように浮力体９をジャケット２９の衿４３にかけ、そして、浮力体９をジャケット２９の左右の前身頃３１，３３に沿わせて、ファスナ２３，２５をジャケット２９側のファスナ３５，３７に係合させた後、胴ベルト１３のバックル２１をウエスト部分の正面で係合すれば、ジャケット２９の上にライフジャケット３９が着用される。
【００２２】
そして、ライフジャケット３９の浮力体９の両片先端１７，１９は、胴ベルト１３で覆われて下方に突出しないように構成されているから、従来のライフジャケットの如く浮力体の両片先端が身体の正面に垂れ下がることがなく、このため、魚釣り操作時に釣糸が両片先端１７，１９の内側に入り込んで絡まってしまうことがない。
【００２３】
また、ライフジャケット３９側のファスナ２３，２５をジャケット２９側のファスナ３５，３７に係合させたことで、キャスティングの際に、ライフジャケット３９の胴体回り方向へのズレが防止されることとなる。
そして、釣人２７が誤って落水した場合、水の浸入でボンベ１１が自動的に作動してカバー体１内で空気袋７が膨張し、この結果、図４及び図６の如く面ファスナによるカバー前方部３とカバー後方部５との止着が解除されて、空気袋７がカバー体１の中から外部に正面視逆Ｕ字状に大きく膨出して落水した釣人２７を水面に浮かせることとなる。そして、既述したように空気袋７は胴ベルト１３の止着部位より上方のカバー体１内に収納されているため、胴ベルト１３によって空気袋７の膨張が妨げられることがない。
【００２４】
従って、本実施形態によれば、救命具本来の機能を損なうことなく、浮力体９の両片先端１７，１９への釣糸の絡まりをなくし、併せてキャスティングの際に、ライフジャケット３９の胴体回り方向へのズレをなくしたため、釣人の安全を確保しつつ、魚釣り操作性を著しく向上させることが可能となった。
また、ライフジャケット３９側のファスナ２３，２５をジャケット２９側のファスナ３５，３７に係合させずに、両ファスナ２３，２５を互いに係合してバックル２１を係合すれば、恰も首に浮力体９を巻き付けるようにしてライフジャケット３９が着用できることとなり、この着用方法によっても、ライフジャケット３９と身体との密着性が確保できると共に、釣糸の絡まりもなく所期の目的を達成することが可能である。
【００２５】
尚、従来、ボンベを用いたこの種の膨張式のライフジャケットには、万が一、ボンベが作動せずに空気袋が膨張しない場合に作動紐を引っ張ってボンベを作動させる構造のものがあるが、本発明は斯かる救命具にも適用可能である。
【００２６】
【発明の効果】
以上述べたように、請求項１に係る発明によれば、救命具本来の機能を損なうことなく、浮力体への釣糸の絡まりをなくして魚釣り操作性を向上させることが可能となった。
【００２７】
そして、請求項２に係る発明によれば、ファスナを互いに係合してバックルを係合すれば、恰も首に浮力体を巻き付けるように救命具を密着して着用できると共に、浮力体への釣糸の絡まりをなくして魚釣り操作性を向上させることが可能である。
また、請求項３に係る発明によれば、キャスティングの際に胴体回り方向への救命具のズレがなくなり、この結果、身体の動きが妨げられることがなくなって、魚釣り操作性を更に向上させることができる利点を有する。
【図面の簡単な説明】
【図１】請求項１乃至請求項３の一実施形態に係るライフジャケット（救命具）の正面図である。
【図２】図１に示すライフジャケットの側面図である。
【図３】図１に示すライフジャケットの縦断面図である。
【図４】空気袋が膨張した状態を示すライフジャケットの縦断面図である。
【図５】ジャケットの上に着用したライフジャケットの正面図である。
【図６】着用時に空気袋が膨張した状態を示すライフジャケットの側面図である。
【符号の説明】
１  カバー体
３  カバー前方部
５  カバー後方部
７  空気袋
９  浮力体
１１  ボンベ
１３  胴ベルト
１７，１９  浮力体の両片先端
２１  バックル
２３，２５，３５，３７  ファスナ
２７  釣人
２９  ジャケット
３１，３３  前身頃
３９  ライフジャケット
４１  背面ベルト
４３  衿
【図１】
2004203316.tif 000003
【図２】
2004203316.tif 000004
【図３】
2004203316.tif 000005
【図４】
2004203316.tif 000006
【図５】
2004203316.tif 000007
【図６】
2004203316.tif 000008